(57)【要約】【課題】従来よりも多くの回転力を貯えることができる香箱を提供すること。【解決手段】機械式時計の香箱は、上端面に、香箱真の軸中心と並行方向に突出した歯を有する。この歯が噛み合わせ部にて２番車と噛み合い、輪列構造に、香箱に収納されたぜんまいが貯えた回転力が伝達される。この構造により、香箱を側壁方向に拡大できるため、従来よりも長いぜんまいを収納することができ、多くの回転力を貯えることで機械式時計の駆動時間を増加させることができる。さらに、歯を香箱の上端面の最外周部に設けることにより、従来の香箱と等しい外径を有し、従来のムーブメントに輪列構造を変更することなく組み込むことができる。【選択図】図２
2015102477.tif 000002
【特許請求の範囲】
【請求項１】
香箱真に嵌合する時計駆動用のぜんまいを収納した香箱において、
前記ぜんまいが解けるときの回転力を輪列機構に伝達する歯を、前記香箱の上端面又は下端面から前記香箱真の軸方向に並行するように突出して設ける
ことを特徴とする香箱。
【請求項２】
前記伝達する歯は、前記香箱の上端面又は下端面の最外周部に配置する
ことを特徴とする請求項１に記載の香箱。
【発明の詳細な説明】
【技術分野】
【０００１】
本発明は、機械式時計のムーブメント用香箱に関する。
【背景技術】
【０００２】
機械式時計等はその動力源としてムーブメント内部に香箱を有する。香箱は、内部にぜんまいを収納する円柱状のケース構造を有しており、ぜんまいの内端は香箱真と呼ばれる香箱の中心に位置する回転軸体に、外端は香箱の内壁に接するように取り付けられている。ぜんまいを巻き上げることにより香箱に回転力が貯えられ、そのぜんまいが解ける力により香箱真を軸として香箱が回転する。
【０００３】
香箱には噛み合わせ用の歯が側壁方向に突出して設けられ、その歯はムーブメント内部の輪列機構の１つである２番車と呼ばれる歯車と噛み合っており、香箱に貯えられた回転力はその輪列機構を介して脱進機及び調速機に伝達される。
【０００４】
このような香箱は古くから製造されており、多くの提案をみるものである（例えば、特許文献１参照）。
【０００５】
特許文献１に示した従来技術の詳細を図６を用いて説明する。
図６は、特許文献１に記載の従来技術を説明しやすいようにその主旨を逸脱しない範囲で書き直した図面であって、輪列機構（２番車）との噛み合わせを模式的に示した断面図である。
【０００６】
香箱１０にはその中心に回転軸体である香箱真４が設けてある。この香箱真４にはぜんまい３の一方端が取り付けられており、他方端は香箱１０の内壁に接するように設けてある。
【０００７】
ぜんまい３は、巻真の回転力又は自動巻き機構の回転力が伝達されて巻き上げられ、解ける際に香箱真４の軸中心４ａを中心に香箱１０を回転させる。
【０００８】
図６に示したように、香箱１０には輪列機構と噛み合うための歯２０が、上端面１ａの場所から側壁１０ｂの方向に突出して設けてある。
【０００９】
香箱１０の近傍には、軸５により回転可能となる２番車６が設けてある。この２番車６は軸５の軸中心４ａを中心に回転する歯車であり、輪列機構を構成する。そして、香箱１０の歯２０と噛み合わせ部７において噛み合っている。
【００１０】
香箱真４の軸中心４ａから噛み合わせ部７までの距離はＬ０である。ぜんまい３を香箱１０内に何回転巻くかや香箱１０のサイズはその設計によるが、距離Ｌ０が決まると香箱１０のサイズも決まり、輪列機構における減速比も決まる。
【先行技術文献】
【特許文献】
【００１１】
【特許文献１】特開昭５１−１２８５６３号公報（第１−２頁、第１図）
【発明の概要】
【発明が解決しようとする課題】
【００１２】
ところで、機械式時計等におけるぜんまいを動力とする機構は、駆動時間を確保するた
めに香箱に多くの回転力を貯えることが重要である。すなわち、より大きなサイズの香箱を用いればよい。そうすると、より長いぜんまいを用いることができるから、ぜんまいの巻き数を増やすことができ、多くの回転力を貯えることができる。
【００１３】
しかし、特に機械式時計においては、香箱はムーブメント内部に収納されているため、ムーブメントの構造や輪列機構との噛み合わせの条件から、制限なく香箱のサイズを大きくすることができない。特に、寸法に制約のある腕時計に用いる機械式時計のムーブメントにあっては、香箱のサイズを大きくすると時計のサイズにも影響が出てしまう。
【００１４】
一方、香箱の大きさを変えずに多くの回転力を貯えることもできる。すなわち、板厚の薄いぜんまいを用いるのである。そのような構造のぜんまいを用いれば巻き数を増やすことができるから、多くの回転力を貯えることができる。
【００１５】
しかし、そのようなぜんまいにおいては、ぜんまいが解けたときの回転トルクが弱くなるため、正常に香箱を回転させることができなくなり、逆に機械式時計等の駆動時間が低下してしまう場合がある。
【００１６】
以上のように、従来知られている香箱は、サイズの制限が課せられた中で、回転トルクを低下させることなく、より大きな回転力を貯えることができなかった。
【００１７】
本発明の目的は、上記課題を解決するものであり、寸法に制約のある腕時計に用いる機械式時計のムーブメントにおいても、より大きな回転力を貯えることができる香箱を提供することである。
【課題を解決するための手段】
【００１８】
上記課題を解決するため、本発明の香箱は下記記載の構成を採用する。
【００１９】
本発明は、香箱真に嵌合する時計駆動用のぜんまいを収納した香箱において、そのぜんまいが解けるときの回転力を輪列機構に伝達する歯を、香箱の上端面又は下端面から香箱真の軸方向に並行するように突出して設けることを特徴とする。
【００２０】
これにより、従来香箱側壁に歯を設けることによって生じていた香箱と２番車間の空間まで香箱を拡大することができ、香箱内部のぜんまいの巻き数を増加させることが可能となる。
【００２１】
また、その伝達する歯は、香箱の上端面又は下端面の最外周部に配置するようにしてもよい。
【００２２】
このように、歯は香箱の上端面又は下端面の、どの位置にも設けることができる。歯の端数や配置する位置は、輪列機構の減速比に応じて自由に選択できる。
【００２３】
また、輪列機構と噛み合う歯は、側壁から突出した歯を有する従来の香箱と同等の噛み合わせ位置（輪列との接続位置）を持たせることもできる。従来の輪列機構の減速比を変えずに本発明の香箱を組み込むことができるようになる。
【発明の効果】
【００２４】
本発明によれば、香箱内部の容積を拡大することによって従来よりも長いぜんまいを使用することができ、多くの回転力を貯えることによって機械式時計等のぜんまいを動力とする機構の駆動時間を増加させることが可能である。
【図面の簡単な説明】
【００２５】
【図１】本発明の第１の実施形態における香箱を説明する斜視図である。
【図２】本発明の第１の実施形態における香箱を説明する断面図である。
【図３】本発明を説明するための図であって、従来技術と比較した断面図である。
【図４】本発明の第２の実施形態における香箱を説明する斜視図である。
【図５】本発明の第２の実施形態における香箱を説明する断面図である。
【図６】特許文献１に示した従来技術を説明する香箱の断面図である。
【発明を実施するための形態】
【００２６】
本発明の香箱は、従来は香箱の側壁から香箱真の回転軸方向と直行する方向に突出して設けていた輪列機構と噛み合う歯を、香箱真の回転軸方向と並行する方向に突出して設けることで、輪列機構が許す空間まで香箱を拡大することができる。
【００２７】
以下、本発明の実施形態を図面を用いて詳述する。図１から図３を用いて第１の実施形態を、図４及び図５を用いて第２の実施形態を説明する、説明にあっては、同一の構成には同一の番号を付与するものとし、詳細な説明を省略するものとする。
また、説明にあっては、香箱に設ける輪列機構と噛み合う歯は、香箱の上端面に設ける例で説明する。
なお、図面は説明しやすいように発明とは関係のない部分を省略して記載する模式図としている。
【実施例１】
【００２８】
［第１の実施形態の説明：図１、図２、図３］
以下、図１から図３を用いて第１の実施形態を詳述する。図１は、香箱及びこれと噛み合う輪列機構の一部を説明するための斜視図である。図２は図１の構成の断面の様子を説明する断面図である。そして、図３は従来技術との比較をした断面図である。
【００２９】
図１に示す香箱１は、円柱状のケース構造を有しており、香箱真４を中心軸として回転する。香箱１の上端面１ａには、香箱真４の軸中心４ａと並行方向、つまり香箱真４の軸方向に並行して突出した輪列機構と噛み合う歯２ａが設けてある。この歯２ａは、図２に示すように香箱真４の軸中心４ａから距離Ｌ１だけ離間し、かつ同心円上に設けられている。なお、歯２ａは図面を見やすくするために、角柱形状で表現している。
【００３０】
２番車６は、輪列機構を構成する歯車である。この２番車は軸５により回転可能になっている。一般に香箱真４の軸中心４ａと軸５の軸中心５ａとは並行するように設けている。
この２番車６は、噛み合わせ部７において香箱１の上端面１ａに設ける歯２ａと噛み合うことにより輪列機構に回転力を伝達する。
【００３１】
図２に示すように、香箱１の内部にはぜんまい３が収納され、このぜんまい３の一方端は香箱真４に、他方端は香箱１の内壁に接するように設けている。
【００３２】
香箱真４の軸中心４ａから歯２ａまでの距離Ｌ１は、自由に設定することができる。香箱１の回転は輪列機構を介して図示しない調速機や脱進機に伝達されるが、このときの輪列機構の減速比に応じて、歯２ａの歯数と共に自由に選択すればよい。
【００３３】
以上のように、これまで香箱１の側壁１ｂの方向に設けていた輪列機構との噛み合わせ用の歯を香箱１の上端面１ａに設けることにより、側壁１ｂと軸５の軸中心５ａとの距離Ｌ２をより小さくすることができるようになった。
つまり、ムーブメントの大きさを変えることなく香箱１のサイズを側壁１ｂと軸５とが
当接しないぎりぎりの距離まで大きくすることができる。したがって、香箱１の容積も増やすことができ、従来よりも長いぜんまいを使用することができ、多くの回転力を貯えることで機械式時計の駆動時間を増加させることができるようになった。
【００３４】
図３は、従来技術との対比をした図である。図３（ａ）は図６に示す断面図に、図３（ｂ）は図２にそれぞれ対応する。図３は、図３（ａ）と図３（ｂ）とで香箱真４の軸中心４ａ及び軸５の軸中心５ａをそれぞれ図面上一致するように記載している。
【００３５】
すでに図１及び図２を用いての説明と図３とにより明らかなように、本発明の香箱１は従来技術に比して、より大きくすることができる。さらに、従来技術の香箱真４の軸中心４ａから噛み合わせ部７までの距離Ｌ０と本発明の距離Ｌ１とを同一としておけば、ムーブメント内における香箱と輪列機構との噛み合わせ位置も変わらなくすることができる。
【００３６】
もちろん、ムーブメントによっては噛み合わせ部７の図中の高さ方向の位置も調整する必要がある場合もあろう。そのような場合であっても、香箱真の形状を小さく変更することや歯２ａの高さを変更するなどすれば、対応可能である。
【００３７】
そのようにすれば、例えば、機械式時計を製造する際に、従来技術の香箱を用いたムーブメントに対して本発明の香箱を入れ替えるだけで、駆動時間を延長させることができるのである。つまり、すでに設計の終了した機械式時計であっても本発明の香箱を用いることができるのである。
【実施例２】
【００３８】
［第２の実施形態の説明：図４、図５］
以下、図４及び図５を用いて第２の実施形態を詳述する。第２の実施形態の特徴は、香箱の上端面に設ける歯をこの上端面の最外周部に設ける点にある。したがって、図４は図１に、図５は図２にそれぞれ相当する。なお、香箱１の上端面１ａに設ける歯は、第１の実施形態と同様であるが設置する位置が異なるので便宜上別の番号２ｂを付与している。
【００３９】
図４に示すように、香箱１の上端面１ａに設ける歯２ｂは、香箱１の外周部に設けている。歯２ｂはその端面が香箱１の側壁１ｂと一致するように最外周部に設けてあり、図５に示すように、香箱真４の軸中心４ａからの距離は、距離Ｌ３となっている。
【００４０】
この第２の実施形態においても、すでに説明した第１の実施形態と同様に、輪列機構の減速比に応じて、歯２ｂの歯数を自由に選択できる。そして、もちろん、側壁１ｂと軸５の軸中心５ａとの距離Ｌ２をより小さくし、ムーブメントの大きさを変えることなく香箱１のサイズを大きくすることができる。
【００４１】
もちろん、従来技術の香箱真４の軸中心４ａから噛み合わせ部７までの距離Ｌ０と本発明の距離Ｌ３とを同一としておけば、ムーブメント内における香箱と輪列機構との噛み合わせ位置も変わらなくすることができる。
【００４２】
以上説明した２つの実施形態にあっては、輪列機構と噛み合う香箱の歯を、香箱の上端面に設ける例で説明した。もちろんこの例に限定するものではなく、香箱の下端面に設けてもよいことは無論である。このように、香箱の歯は、噛み合う輪列機構の構造に応じて上端面や下端面のどちらに設けてもよいのである。
【産業上の利用可能性】
【００４３】
本発明は、機械式時計、特に腕時計のような寸法に制約のある機械式時計の動力源となる香箱に好適である。
【符号の説明】
【００４４】
１、１０  香箱
１ａ  香箱の上端面
１ｂ、１０ｂ  香箱の側壁
２０、２ａ、２ｂ  輪列機構と噛み合う歯
３  ぜんまい
４  香箱真
４ａ  軸中心
５  ２番車の軸
５ａ  軸中心
６  ２番車
７  噛み合わせ部
【図１】
2015102477.tif 000003
【図２】
2015102477.tif 000004
【図３】
2015102477.tif 000005
【図４】
2015102477.tif 000006
【図５】
2015102477.tif 000007
【図６】
2015102477.tif 000008